(57)【特許請求の範囲】
【請求項１】
ノズル開口に連通する圧力発生室を加圧する加圧手段を備え、駆動信号発生用の半導体集積回路から前記加圧手段に駆動信号を供給してインク滴を吐出させるインクジェット式ヘッドを備えたインクジェット記録装置において、
該インクジェット記録装置を制御する制御装置と、
該制御装置から出力される独立した印刷データオンオフ信号線に流れる印刷オンオフ信号に付加された温度検出回路オンオフセレクトデータによりオンオフする複数のヘッドドライバＩＣ内部に設けられた各一つのアナログスイッチと、
前記アナログスイッチの入力に個別接続された各一つの温度検出回路部と、
前記各アナログスイッチのアナログ出力に共通接続され、前記温度検出回路オンオフセレクトデータにより選択出力されたアナログ信号をデジタル信号に変換する一つのアナログ・デジタル変換器と、を備えるインクジェット記録装置。
【発明の詳細な説明】
【０００１】
【発明の属する技術分野】
本発明は、インクジェット記録装置内の複数個所に設置された温度検出素子により温度検出することを目的とするインクジェット記録装置に関する。
【０００２】
【従来の技術】
インクジェット記録装置は、圧電発生室で加圧されたインクを吐出させる関係上、インク滴のインク量はインクの粘度の影響を受けて変化し、またインクの粘度は温度に大きく影響を受けて変化する。従来のインクジェット記録装置においても、インクジェット記録ヘッド上の１個所に温度検出素子を設置し、その温度を検出し検出した温度に合わせて吐出を行う為の駆動波形の電圧や傾きを調整してきた。しかし最近のインクジェット記録装置においてはインクジェット記録ヘッドノズルプレートの大型化や、各色毎のノズル数の増加、また各インクの使用頻度の違いにより各ノズル列などの温度分布が画質に影響を与えるようになった。その為複数個所の温度を検出する必要が生じてきた。
【０００３】
複数個の温度検出素子を使用しての温度検出手段としては、例えば、特開昭６３−０３１４６８号公報の場合、複数個所に設置された温度検出素子をそれぞれアナログデジタル変換器を介してデジタル計算機に転送し解析する方法である。
【０００４】
【発明が解決しようとする課題】
しかしながら、前記従来の温度検出回路において、複数箇所の温度検出を行う場合、複数個のアナログデジタル変換器が必要となり測定ポイントが増加すると回路規模等が大きくなるなどの問題点を有していた。
【０００５】
そこで本発明は、測定ポイントが増加してもアナログデジタル変換器が１つですみ、また必要な時に必要なポイントを測定できることを特徴としたインクジェット記録装置を提供することを目的とする。
【０００８】
【課題を解決するための手段】
本発明のインクジェット記録装置は、ノズル開口に連通する圧力発生室を加圧する加圧手段を備え、駆動信号発生用の半導体集積回路から加圧手段に駆動信号を供給してインク滴を吐出させるインクジェット式ヘッドを備えたインクジェット記録装置において、インクジェット記録装置を制御する制御装置と、制御装置から出力される独立した印刷データオンオフ信号線に流れる印刷オンオフ信号に付加された温度検出回路オンオフセレクトデータによりオンオフする複数のヘッドドライバＩＣ内部に設けられた各一つのアナログスイッチと、アナログスイッチの入力に個別接続された各一つの温度検出回路部と、各アナログスイッチのアナログ出力に共通接続され、温度検出回路オンオフセレクトデータにより選択出力されたアナログ信号をデジタル信号に変換する一つのアナログ・デジタル変換器と、を備えることを特徴とする。
【０００９】
上記構成によれば、温度検出選択の為の回路を増設すること無く、温度検出回路から選択した温度を検出出来るという効果を有する。
【００１１】
上記構成によれば、特別にアナログスイッチを選択する為の制御線を増設することなく温度検出回路から選択した温度を検出出来るという効果を有する。
【００１２】
【発明の実施の形態】
以下、本発明の実施形態を図面に基づいて、説明する。
（実施例１）
図１は、一実施例に係るインクジェット記録装置を制御する制御回路の要部を示す図である。この構成を説明すると、インクジェット記録装置を制御するマイクロコンピュータで構成された制御装置１０、アナログ信号をデジタル信号に変換するアナログ・デジタル変換器１１、制御装置から出力された２本の制御信号で制御される出力波形選択手段用カウンター回路部１４、出力波形選択手段用カウンタ回路部１４より出力された信号を個別選択する出力波形選択回路部１６、出力波形選択回路部１６から選択された信号により動作するアナログスイッチ１７、アナログスイッチ１７の入力に接続された温度検出回路部１８、アナログスイッチ１７の出力は共通接続され、アナログデジタル変換器伝送線路１９を通って制御装置１０内のアナログ・デジタル変換器１１に接続されている。
【００１３】
前記制御装置１０には、出力波形選択手段用カウンター回路部１４を制御する制御クロック信号１２、制御リセット信号１３、アナログスイッチ１７に共通接続されるアナログデジタル変換器伝送線路１９の計３本の信号線で接続されている。
【００１４】
一般的にアナログスイッチは、ＦＥＴのトランジスタのＮ−チャンネルとＰ−チャンネルを組み合わせ、入力信号が入力されると回路が接続され出力信号が出力される。また入力信号が入力されない場合はＦＥＴトランジスタのＮ−チャンネル，Ｐ−チャンネル出力の両方がハイインピーダンス状態となり、回路は切断される特徴を利用して作られている。
【００１５】
温度検出手段には図２（イ）で示すものであって、温度に比例して電気信号を出力する。温度検出回路部１８は、それぞれ定電流源の入力には電源２６が接続されており、定電流源２１−１…２１−ｎから駆動電流を供給を受ける複数のトランジスタ２２−１…２２−ｎを作り付けた上で、各トランジスタのエミッタとベースを直列に接続して、ダイオードの直列回路と等価の回路を構成され、一端のトランジスタの２２−１のエミッタ抵抗２３を介して温度情報出力端子２４より出力されている。また温度情報出力端子２５はグランド電位に接続されている。
【００１６】
温度検出手段としては、サーミスタのや、ポジスタ等を利用した温度検出手段であっても同様に出力の一端を温度情報出力端子２４より出力することにより温度検出が可能である。
【００１７】
制御の方法を、図３に示す。制御装置１０から出力される温度検出選択リセット信号線１３によりリセットされた出力波形選択手段用カウンター回路部１４により各出力信号はクリアされ、全てのカウンター情報信号１５−１・・１５−ｎはハイインピーダンスとなる。
【００１８】
制御装置１０から出力される温度検出選択クロック信号線１２により、測定する温度検出回路に合ったクロックが出力される。
【００１９】
温度検出選択クロック信号線１２の出力により出力波形選択手段用カウンター回路部１４より出力されるカウンタ情報信号１５−１・・１５−ｎが出力される。この情報を出力波形選択回路部１６により個別選択され温度検出回路に接続されたアナログスイッチ１７をオンし温度検出回路出力信号は１つのみアナログデジタル変換器伝送線１９に出力され、アナログ・デジタル変換器１１に送信される。アナログ・デジタル変換器にて受信後、温度検出選択リセット信号線１３の出力によりカウンタ回路部１４より１５−１・・１５−（２ｎ−１）がクリアされ次の温度検出選択クロック信号線待機状態となる。
【００２０】
図３では、１５−１が“Ｈ”レベル、それ以外が“Ｌ”レベルで出力波形選択回路部１６−１が選択され、アナログスイッチ１７−１がオンになり温度検出回路１８−１の出力がアナログスイッチの共通線、アナログデジタル変換器伝送線路１９に出現し制御装置１０内のアナログ・デジタル変換器１１に入力される。
【００２１】
このような回路構成により、制御装置には温度検出回路が増加しても前記温度検出選択クロック信号線１２、温度検出選択リセット信号線１３、アナログデジタル変換器伝送線１９の３本の信号線のみで構成することが出来る。
【００２２】
（実施例２）
図４（イ）は、他の実施例に係るインクジェット記録装置を制御する制御回路の要部を示す図である。インクジェット記録装置を制御する制御装置１０、アナログ信号をデジタル信号に変換するアナログ・デジタル変換器１１、ヘッドドライバＩＣ４６−１・・４６−ｎ、ヘッドドライバＩＣ内部に作られた、アナログスイッチ１７−１・・１７−ｎ、及び温度検出回路部１８−１・・１８−ｎにより構成されている。
【００２３】
本実施例においては温度検出回路部はヘッドドライバＩＣ外部に作られているが、温度検出回路部をヘッドドライバＩＣ内部に作られていても有効である。
【００２４】
制御装置１０から出力される印刷データオンオフ信号４１−１・・４１−ｎは、ヘッドドライバＩＣ４６−１・・４６−ｎの印刷オンオフ信号入力端子４３−１・・４３−ｎを介してヘッドへの駆動出力端子４５−１・・４５−ｎに出力される。また温度制御出力信号はヘッドドライバＩＣの入力端子４４−１・・４４−ｎ、アナログスイッチ１７−１・・１７−ｎ、温度制御出力端子４７−１・・４７−ｎを介してアナログデジタル変換器伝送線１９に共通に出力される。
【００２５】
駆動出力信号４５−１・・４５−ｍ及び温度制御出力信号４４は、図５（ロ）で示すように独立した出力信号であり、駆動出力信号４５−１・・４５−ｍは、ヘッドに接続される。温度制御回路１８の出力は温度制御出力信号４４に入力され、アナログスイッチ１７、アナログデジタル変換器伝送線１９を介してアナログデジタル変換器１１に出力される。
【００２６】
ヘッドドライバＩＣ４６−１・・４６−ｎの内部は、図５（イ）で示すものであって、印刷オンオフ信号入力端子４３の側から駆動信号出力端子４５に向けてシフトレジスタ５１、ラッチ回路５２、レベルシフタ５３、及びアナログスイッチ１７より構成される。
【００２７】
図４（ロ）は印刷オンオフ信号に係り、制御装置１０より、出力される印刷オンオフ信号線４１−１・・４１−ｎに印刷オンオフ信号が送信される。
印刷オンオフ信号にはヘッドのノズルに対応した通常印刷データ部（本発明ではｍｂｉｔ）と温度検出回路オンオフセレクトデータの１ｂｉｔのデータが含まれており、温度検出を行いたいヘッドドライバＩＣに対して、前記温度検出回路オンオフセレクトデータをセットすることにより、温度検出回路の選択が可能である。
【００２８】
このような構成においては、温度検出回路部のセンサーにおいて１つのみを選択可能となり、特別にアナログスイッチを選択する為の制御線を増設することなく、温度検出信号を検出できるようになる。
【００２９】
【発明の効果】
以上説明したように、本発明に係わるインクジェット記録装置によれば、アナログスイッチを用いアナログスイッチに接続された温度検出回路を選択することにより、複数個の温度検出回路より１つの温度情報を検出でき、温度検出回路が増加しても、アナログデジタル変換器を増加させず、またアナログデジタル変換器と制御装置との配線数を増加すること無く装置を提供することが出来る。
【図面の簡単な説明】
【図１】本発明の記録装置に使用する回路構成ブロック図。
【図２】（イ）（ロ）は、図１におけるの温度検出回路の等価回路図。
【図３】図１におけるヘッドドライバＩＣの温度検出回路のタイミング図。
【図４】（イ）（ロ）は、本発明の記録装置に使用する回路構成ブロック図とデータの例。
【図５】（イ）（ロ）は、図４におけるヘッドドライバＩＣブロック図と内部回路図。
【符号の説明】
１０  制御装置
１１  アナログ・デジタル変換器
１２  選択制御信号ＣＬＫ
１３  選択制御信号ＲＥＳＥＴ
１４  カウンタ回路部
１５  カウンタ情報信号
１６  出力波形選択回路部
１７  アナログスイッチ
１８  温度検出回路部
１９  アナログデジタル変換器伝送線
２１  定電流源
２２  トランジスタ
２３  抵抗
２４  温度検出回路出力
２５  温度検出回路ＧＮＤ
２６  供給電源
４１  印刷データオンオフ信号
４２  印刷データ
４３  印刷オンオフ信号入力端子
４４  温度制御入力信号
４５  駆動出力端子
４６  ドライバＩＣ
４７  温度検出出力端子
４８  ヘッド駆動波形入力端子
５１  シフトレジスタ
５２  ラッチ回路
５３  レベルシフタ
【図１】
0003671650.tif 000002
【図２】
0003671650.tif 000003
【図３】
0003671650.tif 000004
【図４】
0003671650.tif 000005
【図５】
0003671650.tif 000006